(57)【要約】【課題】    本発明の目的は、避難者の集中を緩和することができる津波避難タワーを提供するものである。【解決手段】    津波避難タワーＴは、天井部１０に避難デッキを備えた津波避難タワーＴであって、地上ＧＬから天井部１０へ導く人が通るための第１の通路１と、この第１の通路１の内方に設けられ、地上ＧＬから天井部１０へ導く人が通るための第２の通路２と、第１の通路１の内方に設けられる共に、第２の通路２に並設され、地上ＧＬから天井部１０へ導く人が通るための第３の通路３と、この第３の通路３の中途と第１の通路１の中途とを接続して、人が通るために設けられた接続通路４とを備えているものである。【選択図】図１
2020200722.tif 000002
【特許請求の範囲】
【請求項１】
天井部に避難デッキを備えた津波避難タワーであって、
地上から前記天井部へ導く人が通るための第１の通路と、
この第１の通路の内方に設けられ、前記地上から前記天井部へ導く人が通るための第２の通路と、
前記第１の通路の内方に設けられる共に、前記第２の通路に並設され、前記地上から前記天井部へ導く人が通るための第３の通路と、
この第３の通路の中途と前記第１の通路の中途とを接続して、人が通れるために設けられた接続通路とを備えている
ことを特徴とする津波避難タワー。
【請求項２】
第１の通路の外方を囲むように間隔を設けて、複数設置された複数の支柱と、
前記第１の通路の外方を囲むように間隔を設けて、複数設置されている前記支柱の内、隣接する一方の前記支柱と隣接する他方の前記支柱とに支えられた梁と、
前記一方の前記支柱と前記他方の前記支柱とに支えられ、上方に凸となるように接続されたアーチとを備え、
前記梁に接続され、前記アーチに遊嵌して前記アーチの動きを規制する規制部材とを
設けている
ことを特徴とする請求項１記載の津波避難タワー。
【請求項３】
支柱が第１の通路の外方を囲むように間隔を設けて、複数設置されている
ことを特徴とする請求項１記載の津波避難タワー。
【請求項４】
天井部に避難デッキを備えた津波避難タワーであって、
地上から前記天井部へ導く人が通るための第２の通路と、
地上から前記天井部へ導く人が通るための第３の通路と、
この第３の通路の中途と前記第２の通路の中途とを接続して、人が通るために設けられた接続通路とを備えている
ことを特徴とする津波避難タワー。
【発明の詳細な説明】
【技術分野】
【０００１】
本発明は、津波避難タワーに係り、特に、避難者の集中を緩和することができる津波避難タワーに関する。
【背景技術】
【０００２】
従来、海抜の低い土地にあって津波から避難するために建てられる施設である津波避難タワーがある（例えば、特許文献参照）。
この津波避難タワーには、左右にそれぞれ、階段状の避難通路が設けられている。
【先行技術文献】
【特許文献】
【０００３】
【特許文献１】特許第5701937号公報
【発明の概要】
【発明が解決しようとする課題】
【０００４】
ところが、避難時、複数ある避難通路の一方に避難者が集中した場合、他方の避難通路を充分活用できないという問題点が生じた。
【０００５】
本発明は、上記問題点を除去するようにした津波避難タワーを提供することを目的とする。
【課題を解決するための手段】
【０００６】
請求項１記載の津波避難タワーは、天井部に避難デッキを備えた津波避難タワーであって、地上から前記天井部へ導く人が通るための第１の通路と、この第１の通路の内方に設けられ、前記地上から前記天井部へ導く人が通るための第２の通路と、前記第１の通路の内方に設けられる共に、前記第２の通路に並設され、前記地上から前記天井部へ導く人が通るための第３の通路と、この第３の通路の中途と前記第１の通路の中途とを接続して、人が通れるために設けられた接続通路とを備えているものである。
【０００７】
また、請求項２記載の津波避難タワーは、請求項１記載の津波避難タワーにおいて、 第１の通路の外方を囲むように間隔を設けて、複数設置された複数の支柱と、前記第１の通路の外方を囲むように間隔を設けて、複数設置されている前記支柱の内、隣接する一方の前記支柱と隣接する他方の前記支柱とに支えられた梁と、前記一方の前記支柱と前記他方の前記支柱とに支えられ、上方に凸となるように接続されたアーチとを備え、前記梁に接続され、前記アーチに遊嵌して前記アーチの動きを規制する規制部材とを設けているものである。
【０００８】
また、請求項３記載の津波避難タワーは、請求項１記載の津波避難タワーにおいて、支柱が第１の通路の外方を囲むように間隔を設けて、複数設置されているものである。
【０００９】
また、請求項４記載の津波避難タワーは、天井部に避難デッキを備えた津波避難タワーであって、地上から前記天井部へ導く人が通るための第２の通路と、地上から前記天井部へ導く人が通るための第３の通路と、この第３の通路の中途と前記第２の通路の中途とを接続して、人が通るために設けられた接続通路とを備えているものである。
【発明の効果】
【００１０】
請求項１記載の津波避難タワーによれば、天井部に避難デッキを備えた津波避難タワーであって、地上から前記天井部へ導く人が通るための第１の通路と、この第１の通路の内方に設けられ、前記地上から前記天井部へ導く人が通るための第２の通路と、前記第１の通路の内方に設けられる共に、前記第２の通路に並設され、前記地上から前記天井部へ導く人が通るための第３の通路と、この第３の通路の中途と前記第１の通路の中途とを接続して、人が通れるために設けられた接続通路とを備えているため、限られたスペースにあって、第１の通路内に第２の通路と第３の通路を効率良く、設置することができ、しかも、津波の避難時、第１の通路、第２の通路、第３の通路の一方に避難者が集中しても、中途に接続通路が設けられているために、避難者の集中を緩和することができる。
【００１１】
また、請求項２記載の津波避難タワーによれば、上述した請求項１記載の発明の効果に加え、支柱が第１の通路の外方を囲むように間隔を設けて、複数設置されているため、津波による大きな漂流物から、第１、第２、第３の通路、接続通路を保護すると共に、第１、第２、第３の通路、接続通路を通る避難者を保護することができ、しかも、第１の通路の外方を囲むように間隔を設けて、複数設置されている支柱の内、隣接する一方の支柱と隣接する他方の支柱とに支えられた梁と、前記一方の支柱と前記他方の支柱とに支えられ、上方に凸となるように接続されたアーチとを備え、前記梁に接続され、前記アーチに遊嵌して前記アーチの動きを規制する規制部材とを設けているため、一方の支柱、他方の支柱の内、何れかの支柱が損傷を受けた場合、損傷した支柱の荷重をアーチで支持して津波避難タワーの倒壊を防ぐことができる。
【００１２】
また、請求項３記載の津波避難タワーによれば、上述した請求項１記載の発明の効果に加え、支柱が第１の通路の外方を囲むように間隔を設けて、複数設置されているため、津波による大きな漂流物から、第１、第２、第３の通路、接続通路を保護すると共に、第１、第２、第３の通路、接続通路を通る避難者を保護することができる。
【００１３】
また、請求項４記載の津波避難タワーによれば、避難時、第２の通路、第３の通路の一方に避難者が集中しても、中途に接続通路が設けられているために、避難者の集中を緩和することができる。
【図面の簡単な説明】
【００１４】
【図１】図１は、本願発明の一実施例の津波避難タワーを分解して示す概略的分解斜視図である。
【図２】図２は、図１の分解前の津波避難タワーの概略的正面図である。
【図３】図３は、図２の１階部分の概略的平面図である。
【図４】図４は、図２の第３の通路の中途と第１の通路の中途とを接続する接続第１通路、第３の通路の中途と前記第２の通路の中途とを接続する接続第２通路との関係を示す概略的平面図である。
【図５】図５は、図２の第３の通路の中途と第１の通路の中途とを接続する接続第１通路との関係を示す概略的平面図である。
【図６】図６は、図２の天井部の概略的平面図である。
【図７】図７は、図１と異なる他の実施例の津波避難タワーを分解して示す概略的分解斜視図である。
【図８】図８は、図７の分解前の津波避難タワーの概略的正面図である。
【図９】図９は、図８（又は図２）の一部を拡大して示す概略的一部拡大正面図である。
【図１０】図１０は、図８の1階における第２の通路の中途と第３の通路の中途とを接続する接続通路との関係を示す概略的平面図である。
【図１１】図１１は、図８の２階における第２の通路の中途と第３の通路の中途とを接続する接続通路との関係を示す概略的平面図である。
【図１２】図１２は、図８の天井部の概略的平面図である。
【発明を実施するための形態】
【００１５】
本発明の一実施例の津波避難タワーを図面（図１乃至図６）を参照して説明する。
図１に示すＴは天井部１０に避難デッキを備えた津波避難タワーで、津波避難タワーＴは、地上ＧＬから天井部１０へ導く人が通るための第１の通路（例えば、螺旋状に形成されたスロープ）１と、この第１の通路１の内方に設けられ、地上ＧＬから天井部１０へ導く人が通るための第２の通路（例えば、ジグザグ状又は螺旋状に形成された階段）２と、第１の通路１の内方に設けられる共に、第２の通路（例えば、ジグザグ状又は螺旋状に形成された階段）２に並設され、地上ＧＬから天井部１０へ導く人が通るための第３の通路（例えば、ジグザグ状又は螺旋状に形成された階段）３と、この第１の通路１の中途と第２の通路２の中途とを接続して、人が通るために設けられた接続通路（第１の接続通路）４と、第１の通路１の中途と第３の通路３の中途とを接続して、人が通るために設けられた接続通路（第２の接続通路）５とを備えている。
【００１６】
なお、第１の通路１は、例えば、車椅子の利用者や幼児・高齢者などが通り易い様に、通路や廊下などの高低差を傾斜路にした「螺旋状に形成されたスロープ」であり、第２、第３の通路２、３は、例えば、「ジグザグ状又は螺旋状に形成された階段」である。
【００１７】
上述した津波避難タワーＴによれば、限られたスペースにあって、平面視、第１の通路１内に第２の通路２と第３の通路３を効率良く設置することができ、しかも、津波の避難時、第１の通路１、第２の通路２、第３の通路３の一方に避難者が集中しても、中途に接続通路４、５が設けられているために、避難者の集中を緩和することができる（避難者の通行の容易性、避難者の安全確認が相互に可能）。
【００１８】
また、図１に示すように、支柱６が第１の通路１の外方を囲むように間隔を設けて、複数設置されているため、津波による大きな漂流物から、第１、第２、第３の通路１、２、３、接続通路４、５を保護すると共に、第１、第２、第３の通路１、２、３、接続通路（第１、第２の接続通路）４、５を通る避難者を保護することができる。
【００１９】
また、図１に示すように、７は、第１の通路の外方を囲むように間隔を設けて、複数設置されている支柱６の内、隣接する一方の支柱６（６’）と隣接する他方の支柱６（６”）とに支えられた梁で、８は、一方の支柱６（６’）と他方の支柱６（６”）とに支えられ、上方に凸となるように接続（接続は、例えば、溶接、ボルトとナット等である。）されたアーチで、９は、梁７に接続され、アーチ８に遊嵌してアーチ８の動きを規制する規制部材である(図１、図８及び図９参照）。
【００２０】
そのため、一方の支柱６（６’）、他方の支柱６（６”）の内、何れかの支柱（６’又は６”）が損傷を受けた場合、損傷した支柱６（６’又は６”）の荷重をアーチ８で支持して津波避難タワーＴの倒壊を防ぐことができる（図１及び図９参照）。
なお、支柱６の外側に位置する２０は、地盤を強固にする緩衝杭である（図３参照）。３０は屋根、４０はプライバシー確保のスペース、例えば、トイレである。
【００２１】
なお、上述した津波避難タワーＴの実施例（図１乃至図６）にあっては、第１の通路１の内方に第２の通路２、第３の通路３を設けたが、本願発明にあっては、これに限らず、第１の通路１、第２の通路２、第３の通路３の内、第１の通路１のみを省略して、図７乃至図１２に示すように、天井部１０に避難デッキを備えた津波避難タワーＴであって、地上ＧＬから天井部１０へ導く人が通るための第２の通路２と、 地上ＧＬから天井部１０へ導く人が通るための第３の通路３と、この第３の通路３の中途と第２の通路２の中途とを接続して、人が通るために設けられた接続通路４とを備えた津波避難タワーＴでも良い。
【００２２】
この津波避難タワーＴにおいても、上述の実施例の津波避難タワーＴと同様に、避難時、第２の通路２、第３の通路３の一方に避難者が集中しても、中途に接続通路４が設けられているために、避難者の集中を緩和することができる。
なお、第２、第３の通路２、３は、例えば、「ジグザグ状又は螺旋状に形成された階段」である。また、図７乃至図１２に示す実施例においては、上述した実施例（図１乃至図６）と同一部分に同一符号を付して、説明の一部を省略する。
【符号の説明】
【００２３】
Ｔ        津波避難タワー
１        第１の通路
２        第２の通路
３        第３の通路
４        接続通路
１０      天井部
ＧＬ      地上
【図１】
2020200722.tif 000003
【図２】
2020200722.tif 000004
【図３】
2020200722.tif 000005
【図４】
2020200722.tif 000006
【図５】
2020200722.tif 000007
【図６】
2020200722.tif 000008
【図７】
2020200722.tif 000009
【図８】
2020200722.tif 000010
【図９】
2020200722.tif 000011
【図１０】
2020200722.tif 000012
【図１１】
2020200722.tif 000013
【図１２】
2020200722.tif 000014
【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
天井部に避難デッキを備えた津波避難タワーであって、
地上から前記天井部へ導く人が通るための第１の通路と、
この第１の通路の内方に設けられ、前記地上から前記天井部へ導く人が通るための第
２の通路と、
前記第１の通路の内方に設けられる共に、前記第２の通路に並設され、前記地上から
前記天井部へ導く人が通るための第３の通路と、
前記第１の通路の中途と前記第２の通路の中途とを接続する第１の接続通路と、
前記第１の通路の中途と前記第３の通路の中途とを接続する第２の接続通路と、
前記第１の通路の外方を囲むように間隔を設けて、複数設置された複数の支柱と、
前記第１の通路の外方を囲むように間隔を設けて、複数設置されている前記支柱の内
、隣接する一方の前記支柱と隣接する他方の前記支柱とに支えられた梁と、
前記一方の前記支柱と前記他方の前記支柱とに支えられ、上方に凸となるように接続
されたアーチとを備え、
２階に位置する前記梁に接続され、前記アーチに遊嵌して前記アーチの動きを規制する規制部材とを設け、
前記第１の通路の外側に避難装置本体が位置せず、前記複数の支柱が位置している
ことを特徴とする津波避難タワー。
【請求項２】
天井部に避難デッキを備えた津波避難タワーであって、
地上から前記天井部へ導く人が通るための第２の通路と、
地上から前記天井部へ導く人が通るための第３の通路と、
この第３の通路の中途と前記第２の通路の中途とを接続して、人が通るために設けら
れた接続通路と、
前記第２の通路、前記第３の通路及び前記接続通路の外方を囲むように間隔を設けて、複数設置された複数の支柱と、
前記第２の通路、前記第３の通路及び前記接続通路の外方を囲むように間隔を設けて、複数設置されている前記支柱の内、隣接する一方の前記支柱と隣接する他方の前記支柱とに支えられた梁と、
前記一方の前記支柱と前記他方の前記支柱とに支えられ、上方に凸となるように接続
されたアーチとを備え、
２階に位置する前記梁に接続され、前記アーチに遊嵌して前記アーチの動きを規制する規制部材とを設け、
前記第２の通路、前記第３の通路及び前記接続通路の外側に避難装置本体が位置せず、前記複数の支柱が位置している
ことを特徴とする津波避難タワー。
【請求項３】
天井部に避難デッキを備えた津波避難タワーであって、
地上から前記天井部へ導く人が通るための第１の通路と、
この第１の通路の内方に設けられ、前記地上から前記天井部へ導く人が通るための第
２の通路と、
前記第１の通路の内方に設けられる共に、前記第２の通路に並設され、前記地上から
前記天井部へ導く人が通るための第３の通路と、
前記第１の通路の中途と前記第２の通路の中途とを接続する第１の接続通路と、
前記第１の通路の中途と前記第３の通路の中途とを接続する第２の接続通路と、
前記第１の通路の外方を囲むように間隔を設けて、複数設置された複数の支柱とを設け、前記第１の通路の外側に避難装置本体が位置せず、前記複数の支柱が位置している
ことを特徴とする津波避難タワー。
【請求項４】
天井部に避難デッキを備えた津波避難タワーであって、
地上から前記天井部へ導く人が通るための第２の通路と、
地上から前記天井部へ導く人が通るための第３の通路と、
この第３の通路の中途と前記第２の通路の中途とを接続して、人が通るために設けら
れた接続通路とを備え、
前記第２の通路、前記第３の通路及び前記接続通路の外方を囲むように間隔を設けて、複数設置された複数の支柱とを設け、
前記第２の通路、前記第３の通路及び前記接続通路の外側に避難装置本体が位置せず、前記複数の支柱が位置している
ことを特徴とする津波避難タワー。
【手続補正２】
【補正対象書類名】明細書
【補正対象項目名】０００６
【補正方法】変更
【補正の内容】
【０００６】
請求項１記載の津波避難タワーは、天井部に避難デッキを備えた津波避難タワーであって、地上から前記天井部へ導く人が通るための第１の通路と、この第１の通路の内方に設けられ、前記地上から前記天井部へ導く人が通るための第２の通路と、前記第１の通路の内方に設けられる共に、前記第２の通路に並設され、前記地上から前記天井部へ導く人が通るための第３の通路と、前記第１の通路の中途と前記第２の通路の中途とを接続する第１の接続通路と、前記第１の通路の中途と前記第３の通路の中途とを接続する第２の接続通路と、前記第１の通路の外方を囲むように間隔を設けて、複数設置された複数の支柱と、前記第１の通路の外方を囲むように間隔を設けて、複数設置されている前記支柱の内、隣接する一方の前記支柱と隣接する他方の前記支柱とに支えられた梁と、前記一方の前記支柱と前記他方の前記支柱とに支えられ、上方に凸となるように接続されたアーチとを備え、２階に位置する前記梁に接続され、前記アーチに遊嵌して前記アーチの動きを規制する規制部材とを設け、前記第１の通路の外側に避難装置本体が位置せず、前記複数の支柱が位置しているものである。
【手続補正３】
【補正対象書類名】明細書
【補正対象項目名】０００７
【補正方法】変更
【補正の内容】
【０００７】
また、請求項２記載の津波避難タワーは、天井部に避難デッキを備えた津波避難タワーであって、地上から前記天井部へ導く人が通るための第２の通路と、地上から前記天井部へ導く人が通るための第３の通路と、この第３の通路の中途と前記第２の通路の中途とを接続して、人が通るために設けられた接続通路と、前記第２の通路、前記第３の通路及び前記接続通路の外方を囲むように間隔を設けて、複数設置された複数の支柱と、前記第２の通路、前記第３の通路及び前記接続通路の外方を囲むように間隔を設けて、複数設置されている前記支柱の内、隣接する一方の前記支柱と隣接する他方の前記支柱とに支えられた梁と、前記一方の前記支柱と前記他方の前記支柱とに支えられ、上方に凸となるように接続されたアーチとを備え、２階に位置する前記梁に接続され、前記アーチに遊嵌して前記アーチの動きを規制する規制部材とを設け、前記第２の通路、前記第３の通路及び前記接続通路の外側に避難装置本体が位置せず、前記複数の支柱が位置しているものである。
【手続補正４】
【補正対象書類名】明細書
【補正対象項目名】０００８
【補正方法】変更
【補正の内容】
【０００８】
また、請求項３記載の津波避難タワーは、天井部に避難デッキを備えた津波避難タワーであって、地上から前記天井部へ導く人が通るための第１の通路と、この第１の通路の内方に設けられ、前記地上から前記天井部へ導く人が通るための第２の通路と、前記第１の通路の内方に設けられる共に、前記第２の通路に並設され、前記地上から前記天井部へ導く人が通るための第３の通路と、前記第１の通路の中途と前記第２の通路の中途とを接続する第１の接続通路と、前記第１の通路の中途と前記第３の通路の中途とを接続する第２の接続通路と、前記第１の通路の外方を囲むように間隔を設けて、複数設置された複数の支柱とを設け、前記第１の通路の外側に避難装置本体が位置せず、前記複数の支柱が位置しているものである。
【手続補正５】
【補正対象書類名】明細書
【補正対象項目名】０００９
【補正方法】変更
【補正の内容】
【０００９】
また、請求項４記載の津波避難タワーは、天井部に避難デッキを備えた津波避難タワーであって、地上から前記天井部へ導く人が通るための第２の通路と、地上から前記天井部へ導く人が通るための第３の通路と、この第３の通路の中途と前記第２の通路の中途とを接続して、人が通るために設けられた接続通路とを備え、前記第２の通路、前記第３の通路及び前記接続通路の外方を囲むように間隔を設けて、複数設置された複数の支柱とを設け、前記第２の通路、前記第３の通路及び前記接続通路の外側に避難装置本体が位置せず、前記複数の支柱が位置しているものである。
【手続補正６】
【補正対象書類名】明細書
【補正対象項目名】００１１
【補正方法】変更
【補正の内容】
【００１１】
また、請求項１記載の津波避難タワーによれば、支柱が第１の通路の外方を囲むように間隔を設けて、複数設置されているため、津波による大きな漂流物から、第１、第２、第３の通路、第１、第２の接続通路を保護すると共に、第１、第２、第３の通路、第１、第２の接続通路を通る避難者を保護することができ、しかも、第１の通路の外方を囲むように間隔を設けて、複数設置されている支柱の内、隣接する一方の支柱と隣接する他方の支柱とに支えられた梁と、前記一方の支柱と前記他方の支柱とに支えられ、上方に凸となるように接続されたアーチとを備え、前記梁に接続され、前記アーチに遊嵌して前記アーチの動きを規制する規制部材とを設けているため、一方の支柱、他方の支柱の内、何れかの支柱が損傷を受けた場合、損傷した支柱の荷重をアーチで支持して津波避難タワーの倒壊を防ぐことができる。
【手続補正７】
【補正対象書類名】明細書
【補正対象項目名】００１２
【補正方法】変更
【補正の内容】
【００１２】
また、請求項３記載の津波避難タワーによれば、支柱が第１の通路の外方を囲むように間隔を設けて、複数設置されているため、津波による大きな漂流物から、第１、第２、第３の通路、接続通路を保護すると共に、第１、第２、第３の通路、接続通路を通る避難者を保護することができる。
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
天井部に避難デッキを備えた津波避難タワーであって、
地上から前記天井部へ導く人が通るための第１の通路と、
この第１の通路の内方に設けられ、前記地上から前記天井部へ導く人が通るための第
２の通路と、
前記第１の通路の内方に設けられる共に、前記第２の通路に並設され、前記地上から
前記天井部へ導く人が通るための第３の通路と、
前記第１の通路の中途と前記第２の通路の中途とを接続する第１の接続通路と、
前記第１の通路の中途と前記第３の通路の中途とを接続する第２の接続通路と、
前記第１の通路の外方を囲むように間隔を設けて、複数設置された複数の支柱と、
前記第１の通路の外方を囲むように間隔を設けて、複数設置されている前記支柱の内
、隣接する一方の前記支柱と隣接する他方の前記支柱とに支えられた梁と、
前記一方の前記支柱と前記他方の前記支柱とに支えられ、上方に凸となるように接続
されたアーチとを備え、
２階に位置する前記梁に接続され、前記アーチに遊嵌して前記アーチの動きを規制する規制部材とを設け、
前記第１の通路の外側に前記避難デッキが位置せず、前記複数の支柱が位置している
ことを特徴とする津波避難タワー。
【請求項２】
天井部に避難デッキを備えた津波避難タワーであって、
地上から前記天井部へ導く人が通るための第２の通路と、
地上から前記天井部へ導く人が通るための第３の通路と、
この第３の通路の中途と前記第２の通路の中途とを接続して、人が通るために設けら
れた接続通路と、
前記第２の通路、前記第３の通路及び前記接続通路の外方を囲むように間隔を設けて、複数設置された複数の支柱と、
前記第２の通路、前記第３の通路及び前記接続通路の外方を囲むように間隔を設けて、複数設置されている前記支柱の内、隣接する一方の前記支柱と隣接する他方の前記支柱とに支えられた梁と、
前記一方の前記支柱と前記他方の前記支柱とに支えられ、上方に凸となるように接続
されたアーチとを備え、
２階に位置する前記梁に接続され、前記アーチに遊嵌して前記アーチの動きを規制する規制部材とを設け、
前記第２の通路、前記第３の通路及び前記接続通路の外側に前記避難デッキが位置せず、前記複数の支柱が位置している
ことを特徴とする津波避難タワー。
【請求項３】
天井部に避難デッキを備えた津波避難タワーであって、
地上から前記天井部へ導く人が通るための第１の通路と、
この第１の通路の内方に設けられ、前記地上から前記天井部へ導く人が通るための第
２の通路と、
前記第１の通路の内方に設けられる共に、前記第２の通路に並設され、前記地上から
前記天井部へ導く人が通るための第３の通路と、
前記第１の通路の中途と前記第２の通路の中途とを接続する第１の接続通路と、
前記第１の通路の中途と前記第３の通路の中途とを接続する第２の接続通路と、
前記第１の通路の外方を囲むように間隔を設けて、複数設置された複数の支柱とを設け、前記第１の通路の外側に前記避難デッキが位置せず、前記複数の支柱が位置している
ことを特徴とする津波避難タワー。
【請求項４】
天井部に避難デッキを備えた津波避難タワーであって、
地上から前記天井部へ導く人が通るための第２の通路と、
地上から前記天井部へ導く人が通るための第３の通路と、
この第３の通路の中途と前記第２の通路の中途とを接続して、人が通るために設けら
れた接続通路とを備え、
前記第２の通路、前記第３の通路及び前記接続通路の外方を囲むように間隔を設けて、複数設置された複数の支柱とを設け、
前記第２の通路、前記第３の通路及び前記接続通路の外側に前記避難デッキが位置せず、前記複数の支柱が位置している
ことを特徴とする津波避難タワー。
【手続補正２】
【補正対象書類名】明細書
【補正対象項目名】０００６
【補正方法】変更
【補正の内容】
【０００６】
請求項１記載の津波避難タワーは、天井部に避難デッキを備えた津波避難タワーであって、地上から前記天井部へ導く人が通るための第１の通路と、この第１の通路の内方に設けられ、前記地上から前記天井部へ導く人が通るための第２の通路と、前記第１の通路の内方に設けられる共に、前記第２の通路に並設され、前記地上から前記天井部へ導く人が通るための第３の通路と、前記第１の通路の中途と前記第２の通路の中途とを接続する第１の接続通路と、前記第１の通路の中途と前記第３の通路の中途とを接続する第２の接続通路と、前記第１の通路の外方を囲むように間隔を設けて、複数設置された複数の支柱と、前記第１の通路の外方を囲むように間隔を設けて、複数設置されている前記支柱の内、隣接する一方の前記支柱と隣接する他方の前記支柱とに支えられた梁と、前記一方の前記支柱と前記他方の前記支柱とに支えられ、上方に凸となるように接続されたアーチとを備え、２階に位置する前記梁に接続され、前記アーチに遊嵌して前記アーチの動きを規制する規制部材とを設け、前記第１の通路の外側に前記避難デッキが位置せず、前記複数の支柱が位置しているものである。
【手続補正３】
【補正対象書類名】明細書
【補正対象項目名】０００７
【補正方法】変更
【補正の内容】
【０００７】
また、請求項２記載の津波避難タワーは、天井部に避難デッキを備えた津波避難タワーであって、地上から前記天井部へ導く人が通るための第２の通路と、地上から前記天井部へ導く人が通るための第３の通路と、この第３の通路の中途と前記第２の通路の中途とを接続して、人が通るために設けられた接続通路と、前記第２の通路、前記第３の通路及び前記接続通路の外方を囲むように間隔を設けて、複数設置された複数の支柱と、前記第２の通路、前記第３の通路及び前記接続通路の外方を囲むように間隔を設けて、複数設置されている前記支柱の内、隣接する一方の前記支柱と隣接する他方の前記支柱とに支えられた梁と、前記一方の前記支柱と前記他方の前記支柱とに支えられ、上方に凸となるように接続されたアーチとを備え、２階に位置する前記梁に接続され、前記アーチに遊嵌して前記アーチの動きを規制する規制部材とを設け、前記第２の通路、前記第３の通路及び前記接続通路の外側に前記避難デッキが位置せず、前記複数の支柱が位置しているものである。
【手続補正４】
【補正対象書類名】明細書
【補正対象項目名】０００８
【補正方法】変更
【補正の内容】
【０００８】
また、請求項３記載の津波避難タワーは、天井部に避難デッキを備えた津波避難タワーであって、地上から前記天井部へ導く人が通るための第１の通路と、この第１の通路の内方に設けられ、前記地上から前記天井部へ導く人が通るための第２の通路と、前記第１の通路の内方に設けられる共に、前記第２の通路に並設され、前記地上から前記天井部へ導く人が通るための第３の通路と、前記第１の通路の中途と前記第２の通路の中途とを接続する第１の接続通路と、前記第１の通路の中途と前記第３の通路の中途とを接続する第２の接続通路と、前記第１の通路の外方を囲むように間隔を設けて、複数設置された複数の支柱とを設け、前記第１の通路の外側に前記避難デッキが位置せず、前記複数の支柱が位置しているものである。
【手続補正５】
【補正対象書類名】明細書
【補正対象項目名】０００９
【補正方法】変更
【補正の内容】
【０００９】
また、請求項４記載の津波避難タワーは、天井部に避難デッキを備えた津波避難タワーであって、地上から前記天井部へ導く人が通るための第２の通路と、地上から前記天井部へ導く人が通るための第３の通路と、この第３の通路の中途と前記第２の通路の中途とを接続して、人が通るために設けられた接続通路とを備え、前記第２の通路、前記第３の通路及び前記接続通路の外方を囲むように間隔を設けて、複数設置された複数の支柱とを設け、前記第２の通路、前記第３の通路及び前記接続通路の外側に前記避難デッキが位置せず、前記複数の支柱が位置しているものである。